(57)【要約】【課題】記録媒体に対する各種の操作を記録媒体毎に制限することが可能な記録装置を提供する。【解決手段】録画装置１は、光ディスクドライブ１１に装着された光ディスクが登録済みであれば、この光ディスクに使用制限が設定されているか否かを判定する。使用制限が設定されていれば、録画装置１は、装着された光ディスクに記録されているパスワード情報と、装着された光ディスクに対応付けて記憶部１２の管理領域に記憶されているパスワード情報とが一致するか否かを判定する。パスワード情報が一致する場合、録画装置１は、このパスワード情報の入力を使用者に対して要求し、正当なパスワード情報が入力された場合、装着された光ディスクに関するメニュー画面を表示させる。録画装置１は、メニュー画面を介して、装着された光ディスクに対する各種の操作の指示を受け付け、受け付けた指示に従って各種の操作を実行する。【選択図】図２
2010238325.tif 000002
【特許請求の範囲】
【請求項１】
着脱可能な記録媒体にコンテンツデータを記録する記録装置において、
コンテンツデータを記憶することができる複数の記憶領域を有する記憶部と、
一の記録媒体に固有の媒体情報を、前記複数の記憶領域の内の一の記憶領域に関連付けて記憶する手段と、
前記記録媒体に対する操作を制限する制限手段と、
該制限手段が操作を制限する記録媒体に、操作の制限を解除するための認証情報を記録する記録手段と、
該記録手段が前記記録媒体に記録した認証情報を、前記記録媒体の媒体情報に対応付けて記憶する認証情報記憶手段と、
記録媒体が装着された場合に、装着された記録媒体に記録されている認証情報、及び前記記録媒体の媒体情報に対応付けて前記認証情報記憶手段に記憶されている認証情報に応じて、前記制限手段による制限を制御する制限制御手段と
を備えることを特徴とする記録装置。
【請求項２】
記録媒体が装着された場合に、装着された記録媒体に記録されている認証情報が、前記記録媒体の媒体情報に対応付けて前記認証情報記憶手段に記憶されている認証情報に一致するか否かを判定する判定手段と、
該判定手段が一致すると判定した場合、前記認証情報の入力を要求する要求手段とを備え、
前記制限制御手段は、前記要求手段が要求した認証情報が入力された場合、装着された前記記録媒体に対する操作を制限しないように前記制限手段を制御するようにしてあることを特徴とする請求項１に記載の記録装置。
【請求項３】
前記記録手段が前記記録媒体に認証情報を記録した場合、前記記録媒体に記録されているコンテンツデータを前記記録媒体から読み出せないように処理する第１処理手段と、
前記要求手段が要求した認証情報が入力された場合、装着された前記記録媒体が前記第１処理手段によってコンテンツデータを読み出せないように処理されているか否かを判断する判断手段と、
該判断手段が前記コンテンツデータを読み出せないように処理されていると判断した場合、前記記録媒体からコンテンツデータを読み出せるように処理する第２処理手段と
を備えることを特徴とする請求項１又は２に記載の記録装置。
【請求項４】
前記第１処理手段は、前記記録媒体に記録されているコンテンツデータを暗号化して前記記録媒体に記録するようにしてあり、
前記第２処理手段は、前記第１処理手段が暗号化する際に用いた情報を用いて、前記第１処理手段によって暗号化されたコンテンツデータを復号するようにしてあることを特徴とする請求項３に記載の記録装置。
【請求項５】
前記第１処理手段は、前記記録媒体に記録されているコンテンツデータの一部を抜き取るようにしてあり、
前記第２処理手段は、前記第１処理手段によって抜き取られたデータを前記コンテンツデータに戻すようにしてあることを特徴とする請求項３に記載の記録装置。
【請求項６】
装着されている記録媒体に対して前記制限手段による操作の制限の指示を受け付ける受付手段を備え、
前記制限手段は、前記受付手段が操作の制限の指示を受け付けた場合、装着されている記録媒体に対する操作を制限するようにしてあることを特徴とする請求項１から５までのいずれかひとつに記載の記録装置。
【発明の詳細な説明】
【技術分野】
【０００１】
本発明は、コンテンツの内容を表すコンテンツデータをブルーレイディスク等の記録媒体に記録する記録装置に関する。
【背景技術】
【０００２】
テレビジョン放送又はコンテンツ配信等によって放送（配信）されたコンテンツを録画する録画装置（記録装置）が普及している。録画装置には、ハードディスク等の内蔵記録媒体に、コンテンツの映像又は音声等の内容を表すコンテンツデータを記録するものと、着脱可能な光ディスク等の可搬型の記録媒体にコンテンツデータを記録するものとがある。また、内蔵記録媒体と可搬型の記録媒体とのいずれにもコンテンツデータを記録できる録画装置も提供されている。内蔵記録媒体に録画した場合は、録画を行った録画装置でしかコンテンツの再生ができないので、このような録画装置では、他の再生装置でコンテンツを再生させるために、内蔵記録媒体から可搬型の記録媒体へコンテンツデータをコピーすることが行われる。
【０００３】
一方、可搬型の記録媒体は、持ち運びが容易であり、記録されたコンテンツデータに対する著作権の保護が難しい。また、記録内容によっては子供等の特定の対象に視聴させたくないコンテンツもある。そこで、任意の記録媒体からの再生を制限する技術が提案されている（特許文献１参照）。
【先行技術文献】
【特許文献】
【０００４】
【特許文献１】特開２００１−２６８５１０号公報
【発明の概要】
【発明が解決しようとする課題】
【０００５】
また、家族間等、複数の使用者間で録画装置を共用している場合、それぞれが使用する記録媒体を他の使用者に視聴させたくないだけでなく、記録媒体に記録されているコンテンツの削除及びコピー、コンテンツに関する情報の編集、新たなコンテンツの記録等、記録媒体に対する各種の操作を行わせたくないという要望がある。しかし、他の使用者によるこれらの操作を禁止することは難しいという問題がある。
【０００６】
本発明は、斯かる事情に鑑みてなされたものであり、その目的とするところは、それぞれの記録媒体に対する各種の操作を制限することが可能な記録装置を提供することにある。
【課題を解決するための手段】
【０００７】
本発明に係る記録装置は、着脱可能な記録媒体にコンテンツデータを記録する記録装置において、コンテンツデータを記憶することができる複数の記憶領域を有する記憶部と、一の記録媒体に固有の媒体情報を、前記複数の記憶領域の内の一の記憶領域に関連付けて記憶する手段と、前記記録媒体に対する操作を制限する制限手段と、該制限手段が操作を制限する記録媒体に、操作の制限を解除するための認証情報を記録する記録手段と、該記録手段が前記記録媒体に記録した認証情報を、前記記録媒体の媒体情報に対応付けて記憶する認証情報記憶手段と、記録媒体が装着された場合に、装着された記録媒体に記録されている認証情報、及び前記記録媒体の媒体情報に対応付けて前記認証情報記憶手段に記憶されている認証情報に応じて、前記制限手段による制限を制御する制限制御手段とを備えることを特徴とする。
【０００８】
本発明によれば、記録媒体に対する操作を制限する場合、操作を制限する記録媒体に、操作の制限を解除するための認証情報を記録し、記録媒体の媒体情報に対応付けて前記認証情報を記憶しておく。そして、記録媒体が装着された場合に、記録媒体に記録されている認証情報と、記録媒体の媒体情報に対応付けて記憶されている認証情報とに応じて、装着された記録媒体の操作の制限を制御する。よって、装着された記録媒体に記録されている認証情報、及びこの記録媒体に対応付けられて記憶されている認証情報に応じて、装着された記録媒体の操作が制限される。
【０００９】
本発明に係る記録装置は、記録媒体が装着された場合に、装着された記録媒体に記録されている認証情報が、前記記録媒体の媒体情報に対応付けて前記認証情報記憶手段に記憶されている認証情報に一致するか否かを判定する判定手段と、該判定手段が一致すると判定した場合、前記認証情報の入力を要求する要求手段とを備え、前記制限制御手段は、前記要求手段が要求した認証情報が入力された場合、装着された前記記録媒体に対する操作を制限しないように前記制限手段を制御するようにしてあることを特徴とする。
【００１０】
本発明によれば、記録媒体が装着された場合に、記録媒体に記録されている認証情報が、記録媒体に対応付けて記憶されている認証情報に一致する場合であって、前記認証情報が入力された場合、装着された記録媒体の操作を制限しない。よって、装着された記録媒体に記録されている認証情報が、この記録媒体に対応付けられて記憶されていた認証情報に一致しない場合、又は、前記認証情報が適切に入力されなかった場合、装着された記録媒体の操作が制限される。
【００１１】
本発明に係る記録装置は、前記記録手段が前記記録媒体に認証情報を記録した場合、前記記録媒体に記録されているコンテンツデータを前記記録媒体から読み出せないように処理する第１処理手段と、前記要求手段が要求した認証情報が入力された場合、装着された前記記録媒体が前記第１処理手段によってコンテンツデータを読み出せないように処理されているか否かを判断する判断手段と、該判断手段が前記コンテンツデータを読み出せないように処理されていると判断した場合、前記記録媒体からコンテンツデータを読み出せるように処理する第２処理手段とを備えることを特徴とする。
【００１２】
本発明によれば、記録媒体に認証情報を記録した場合、記録媒体に記録されているコンテンツデータを読み出せないように処理しておく。そして、記録媒体が装着され、記録媒体に記録されている認証情報が、記録媒体に対応付けられて記憶されていた認証情報に一致し、前記認証情報が入力された場合に、記録媒体からコンテンツデータを読み出せるようにする。よって、認証情報が記録された記録媒体は、同一の認証情報を記憶している装置によってのみ、コンテンツデータの読み出しが可能となり、他の装置での読み出しは禁止される。
【００１３】
本発明に係る記録装置は、前記第１処理手段は、前記記録媒体に記録されているコンテンツデータを暗号化して前記記録媒体に記録するようにしてあり、前記第２処理手段は、前記第１処理手段が暗号化する際に用いた情報を用いて、前記第１処理手段によって暗号化されたコンテンツデータを復号するようにしてあることを特徴とする。
【００１４】
本発明によれば、記録媒体に記録されているコンテンツデータを暗号化させて記録媒体に記録することにより、記録媒体に記録されているコンテンツデータを他の装置では読み出せないようにする。また、暗号化する際に用いた情報に基づいて、暗号化されたコンテンツデータを復号することにより、暗号化する際に用いた適切な情報を保持する装置では、記録媒体に記録されているコンテンツデータの読み出しが可能となる。
【００１５】
本発明に係る記録装置は、前記第１処理手段は、前記記録媒体に記録されているコンテンツデータの一部を抜き取るようにしてあり、前記第２処理手段は、前記第１処理手段によって抜き取られたデータを前記コンテンツデータに戻すようにしてあることを特徴とする。
【００１６】
本発明によれば、記録媒体に記録されているコンテンツデータの一部を抜き取ることにより、記録媒体に記録されているコンテンツデータを他の装置では読み出せないようにする。また、抜き取ったデータを元のコンテンツデータに戻すことにより、記憶媒体からコンテンツデータを読み出せないように処理した装置では、記録媒体に記録されているコンテンツデータを復元でき、読み出しが可能となる。
【００１７】
本発明に係る記録装置は、装着されている記録媒体に対して前記制限手段による操作の制限の指示を受け付ける受付手段を備え、前記制限手段は、前記受付手段が操作の制限の指示を受け付けた場合、装着されている記録媒体に対する操作を制限するようにしてあることを特徴とする。
【００１８】
本発明によれば、それぞれの記録媒体に対して、操作を制限するか否かを任意に設定することが可能となる。
【発明の効果】
【００１９】
本発明では、記録媒体毎に操作制限を設定することにより、個人専用の記録媒体としての使用が可能となる。また、操作を制限された記録媒体に対する各種の操作を他の装置では行えないようにすることにより、記録媒体に記録されたコンテンツを保護できる。
【図面の簡単な説明】
【００２０】
【図１】本実施形態の録画装置の外観を示す概念図である。
【図２】本実施形態の録画装置の内部構成を示すブロック図である。
【図３】記憶部の内部構成を示す模式図である。
【図４】録画装置によるメニュー画面の表示処理の手順を示すフローチャートである。
【図５】録画装置によるメニュー画面の表示処理の手順を示すフローチャートである。
【図６】メニュー画面の構成例を示す模式図である。
【図７】メニュー画面の構成例を示す模式図である。
【図８】録画装置による登録処理の手順を示すフローチャートである。
【図９】録画装置による使用制限の解除処理の手順を示すフローチャートである。
【発明を実施するための形態】
【００２１】
以下に、本発明に係る記録装置を、録画装置に適用した実施形態を示す図面に基づき具体的に説明する。図１は、本実施形態の録画装置１の外観を示す概念図である。録画装置１には、テレビジョン受像機である映像表示装置４が接続されており、録画装置１は、映像表示装置４に対して映像信号及び音声信号を出力する。映像表示装置４は、映像信号に基づいた映像を表示し、音声信号に基づいた音声を出力する。また録画装置１は、使用者によって操作されるリモコン（リモートコントローラ）５からの信号を受信することにより、録画の指示等の各種の指示を受け付ける。
【００２２】
図２は、本実施形態の録画装置１の内部構成を示すブロック図である。録画装置１は、図示しない外部のアンテナ等に接続されてあり、デジタル放送の放送波を復調した放送信号を入力される放送入力部３１と、図示しない外部チューナ等の外部装置から映像信号及び音声信号を入力される信号入力部３２とを備えている。更に録画装置１は、リモコン５からの信号を受信するリモコン受信部３３と、映像表示装置４へ映像信号を出力する信号出力部３４と、放送された番組（コンテンツ）の内容を表す番組データ（コンテンツデータ）を記録するハイブリッドドライブ部１０と、放送波から映像信号及び音声信号を含む番組データ（コンテンツデータ）を生成する処理を行うバックエンド部２０とを備えている。
【００２３】
バックエンド部２０は、デジタルチューナ２１及びエンコーダ２２を備えており、デジタルチューナ２１には放送入力部３１が接続され、エンコーダ２２には信号入力部３２が接続されている。デジタルチューナ２１は、放送入力部３１からデジタル放送の放送信号を入力され、選局されたチャンネル即ち特定の周波数帯の放送信号をＭＰＥＧ（Moving Picture Experts Group）−２ＴＳ（Transport Stream）等のデジタルのストリームデータに変換する。エンコーダ２２は、信号入力部３２から映像信号及び音声信号を入力され、映像信号及び音声信号をＭＰＥＧ−２ＰＳ（Program Stream）又はＭＰＥＧ−２ＴＳ等のデジタルのストリームデータにエンコードする処理を行う。
【００２４】
またバックエンド部２０は、ストリーム処理部２３を備えており、デジタルチューナ２１及びエンコーダ２２はストリーム処理部２３に接続されている。ストリーム処理部２３は、デジタルチューナ２１及びエンコーダ２２からストリームデータを入力され、デジタル放送用のスクランブルを解除する処理等のストリームデータに対するデータ処理を行う。なお、録画装置１は、更に、外部装置からストリームデータを受信するイーサネット（登録商標）又はｉ．ＬＩＮＫ等のデジタルインタフェースを備えていてもよい。これらのデジタルインタフェースも、ストリーム処理部２３に接続される。
【００２５】
ストリーム処理部２３は、バックエンド部２０内のシステムバスに接続されている。またシステムバスには、演算を行う演算部を含んでなる録画／再生制御部２４、揮発性メモリである制御用メモリ２５、不揮発性メモリである保存用メモリ２７、及びストリームデータをデコードするデコーダ２８が接続されている。またデコーダ２８には、画像処理部２９が接続されている。録画／再生制御部２４は、システムバスに接続された各部間でのデータの入出力を制御する処理を行う。また録画／再生制御部２４にはバックエンド部２０外のリモコン受信部３３が接続されており、録画／再生制御部２４は、リモコン受信部３３からの信号を入力されることにより、使用者からの各種の指示を受け付ける。
【００２６】
制御用メモリ２５は、ストリーム処理部２３又は録画／再生制御部２４等が実行する演算に伴う一時的な情報を記憶する。保存用メモリ２７は、録画／再生制御部２４の動作に必要な制御プログラム等の保存する必要がある情報を記憶する。デコーダ２８は、ストリームデータを映像信号及び音声信号へデコードし、映像信号及び音声信号を画像処理部２９へ入力する。画像処理部２９は、画素の補間又は色調整等の画像処理を映像信号に対して実行する。画像処理部２９にはバックエンド部２０外の信号出力部３４が接続されており、映像信号及び音声信号は信号出力部３４から映像表示装置４へ出力される。
【００２７】
更に、バックエンド部２０内のシステムバスには、ＳＡＴＡ（Serial Advanced Technology Attachment ）等のインタフェース部２６が接続されており、インタフェース部２６には、バックエンド部２０外のハイブリッドドライブ部１０が接続されている。バックエンド部２０は、インタフェース部２６を介してハイブリッドドライブ部１０との間でデータを交換する。
【００２８】
ハイブリッドドライブ部１０は、バックエンド部２０に接続するＳＡＴＡ等のインタフェース部１４と、光ディスクドライブ１１と、データを記憶する記憶部１２と、光ディスクドライブ１１及び記憶部１２の動作を制御するドライブ制御部１３とを備える。ハイブリッドドライブ部１０は、インタフェース部１４を介してバックエンド部２０との間でデータを交換する。光ディスクドライブ１１は、ブルーレイディスク（Blu-ray Disc：登録商標）又はＤＶＤ（Digital Versatile Disc）等の光ディスクを装着され、装着された光ディスクからのデータの読み出し、及び光ディスクへのデータの記録を行う。光ディスクは、光ディスクドライブ１１に対して着脱可能であり、本発明における記録媒体に相当する。記憶部１２は、フラッシュメモリ等の不揮発性メモリ又はハードディスクで構成されている。
【００２９】
バックエンド部２０のストリーム処理部２３でデータ処理されたストリームデータは、インタフェース部２６又はデコーダ２８へ転送される。インタフェース部２６へ転送された場合、ストリームデータは、インタフェース部２６を介してハイブリッドドライブ部１０へ入力され、ハイブリッドドライブ部１０の光ディスクドライブ１１に装着された光ディスク又は記憶部１２に記録される。一方、デコーダ２８へ転送された場合、ストリームデータは、デコーダ２８でデコードされ、画像処理部２９によって各種の画像処理を施された後、映像表示装置４でライブ表示される。なお、上述した各部を備えるバックエンド部２０は通常、１つのＳＯＣ（System on chip）と外部メモリとにより構成される。
【００３０】
図３は、記憶部１２の内部構成を示す模式図である。記憶部１２は、管理領域、第１領域、第２領域、…、第ｎ領域及び予備領域等の複数の記憶領域を有する。ここで、ｎは正の整数である。ｎは予め適当な値に定められており、録画装置１の出荷時点では、記憶部１２の記憶領域が管理領域、第１〜第ｎ領域及び予備領域の複数の記憶領域に予め分割されている。第１〜第ｎ領域及び予備領域は、番組データ（コンテンツデータ）を記憶するための領域であり、管理領域は、第１〜第ｎ領域及び予備領域の夫々を管理するための情報を記憶するための領域である。
【００３１】
記憶部１２の第１〜第ｎ領域は、個別に特定の光ディスクを対応付けておき、対応付けた光ディスクに応じたデータを記憶するための記憶領域である。例えば、第１領域には特定の光ディスク６１が対応付けられ、第２領域には特定の光ディスク６２が対応付けられる。録画装置１の出荷時点では、いずれの領域にも光ディスクは対応付けられていない。録画装置１を使用するには、使用者所有の光ディスクを何れかの記憶領域に対応付けて登録する処理を行う必要がある。また予備領域は、その他のデータを記憶するための記憶領域である。
【００３２】
記憶部１２の管理領域には、第１〜第ｎ領域のそれぞれを示す情報に対応付けて、第１〜第ｎ領域のそれぞれに対応付けられた光ディスクを識別するためのディスクＩＤ、それぞれの光ディスクに使用制限が設定されているか否かを示す使用制限情報、使用制限が設定されている場合に使用制限を解除するためのパスワード情報等が記憶される。ディスクＩＤは、光ディスクに予め記録されている情報であり、個々の光ディスクについて固有の情報である。例えば、光ディスクのＢＣＡ（Burst Cutting Area）に記録されたＢＣＡ情報を用いることができる。使用制限情報は、光ディスクに録画されているストリームデータの再生、コピー及び削除、光ディスクに対する新たなストリームデータの録画等の各種の操作を制限（禁止）するか否かを示す情報である。パスワード情報は、使用制限が設定されている光ディスクの使用制限を解除するための情報であり、正当な使用者によって予め設定された情報である。
【００３３】
録画装置１の出荷時点では、第１〜第ｎ領域にはまだ光ディスクが対応付けられていないので、特定の光ディスクのディスクＩＤ、使用制限情報及びパスワード情報は、管理領域にはまだ記憶されていない。ディスクＩＤ、使用制限情報及びパスワード情報は、第１〜第ｎ領域のそれぞれに光ディスクが対応付けられた際に、対応付けられた記憶領域を示す情報に対応付けて管理領域に格納される。なお、それぞれの光ディスクに対する使用制限及びパスワード情報は、光ディスクを第１〜第ｎ領域のいずれかに対応付ける登録処理の際に設定される。
【００３４】
なお、録画装置１は、記憶部１２の記憶領域が予め分割されているのではなく、使用者がｎの値を指定することによりｎを決定し、ｎの値に応じて記憶部１２の記憶領域を分割する処理を行う形態であってもよい。
【００３５】
以下に、本実施形態の録画装置１が、光ディスクドライブ１１に光ディスクが装着された場合に、装着された光ディスクを操作するためのメニュー画面を表示する処理について説明する。なお、光ディスクを操作するためのメニュー画面には、光ディスクに録画されているストリームデータに関する情報が含まれる。図４及び図５は、録画装置１によるメニュー画面の表示処理の手順を示すフローチャートである。なお、本実施形態の録画装置１は、光ディスクドライブ１１に光ディスクが装着された場合に、装着された光ディスクが記憶部１２のいずれかの記憶領域に既に対応付けられているか否かを判定する。記憶部１２のいずれの記憶領域にもまだ対応付けられていない場合、即ち、未登録の光ディスクが装着された場合、録画装置１は、使用者による登録処理の指示に基づいて登録処理を行う。
【００３６】
録画／再生制御部２４は、ドライブ制御部１３によって、光ディスクドライブ１１に光ディスクが装着されているか否かを判定し（Ｓ１）、装着されていないと判定した場合（Ｓ１：ＮＯ）、他の処理を行いつつ待機する。ステップＳ１では、ドライブ制御部１３は、使用者の操作により光ディスクドライブ１１に光ディスクが装着されたかを監視しており、光ディスクが装着されたことを検知した場合、その旨をインタフェース部１４からバックエンド部２０へ送出する。録画／再生制御部２４は、ハイブリッドドライブ部１０から通知される情報に基づいて、光ディスクドライブ１１に光ディスクが装着されたか否かを判定する。
【００３７】
録画／再生制御部２４は、光ディスクが装着されたと判定した場合（Ｓ１：ＹＥＳ）、装着された光ディスクのディスクＩＤをドライブ制御部１３によって取得する（Ｓ２）。ステップＳ２では、ドライブ制御部１３は、光ディスクク中の所定の位置に記録された情報を光ディスクドライブ１１に読み出させることにより、光ディスクのディスクＩＤを読み出し、インタフェース部１４からバックエンド部２０へ送出する。録画／再生制御部２４は、ハイブリッドドライブ部１０から送出されたディスクＩＤを取得する。
【００３８】
録画／再生制御部２４は、ハイブリッドドライブ部１０から取得したディスクＩＤに基づいて、装着されている光ディスクが記憶部１２の第１〜第ｎ領域のいずれかに対応付けられた登録済みの光ディスクであるか否かを判定する（Ｓ３）。ステップＳ３では、録画／再生制御部２４は、取得したディスクＩＤが、記憶部１２の第１〜第ｎ領域のいずれかを示す情報に対応付けられて記憶部１２の管理領域に記憶されているか否かを判定する。そして、録画／再生制御部２４は、記憶されていれば、装着された光ディスクが既に登録済みの光ディスクであると判定し、記憶されていなければ、装着された光ディスクが未登録の光ディスクであると判定する。
【００３９】
装着された光ディスクが未登録であった場合（Ｓ３：ＮＯ）、録画／再生制御部２４は、装着された光ディスクからのデータの読み出しが可能であるか否かを判定する（Ｓ４）。光ディスクは、例えば、データの読み出しを禁止する情報が所定の領域に記録されることによってデータを読み出せないように処理されている場合がある。この場合、録画／再生制御部２４は、ドライブ制御部１３により、光ディスクの所定領域に記録されている情報を読み出すことによって、装着された光ディスクからのデータの読み出しが可能であるか否かを判定する。
【００４０】
また、光ディスクは、データを暗号化した上で光ディスクに上書きすることによってデータを読み出せないように処理されている場合がある。この場合、録画／再生制御部２４は、ドライブ制御部１３によって、光ディスクに記録されているデータが暗号化されているか否かを判定し、暗号化されていない場合、データの読み出しが可能であると判定する。また、光ディスクは、ディスクに記録されているデータの一部を抜き取ることによってデータを読み出せないように処理されている場合がある。この場合、録画／再生制御部２４は、ドライブ制御部１３によって、光ディスクに記録されているデータが一部を抜き取られたデータであるか否かを判定し、抜き取られていないデータである場合、データの読み出しが可能であると判定する。
【００４１】
装着された光ディスクからのデータの読み出しが可能でないと判定した場合（Ｓ４：ＮＯ）、録画／再生制御部２４は、ステップＳ１４へ処理を移行する。装着された光ディスクからのデータの読み出しが可能であると判定した場合（Ｓ４：ＹＥＳ）、録画／再生制御部２４は、光ディスクの登録指示を受け付けたか否かを判定する（Ｓ５）。ステップＳ５では、録画／再生制御部２４は、光ディスクの登録指示を受け付けるための受付画面用の映像信号をデコーダ２８及び画像処理部２９を介して信号出力部３４から映像表示装置４へ送信する。そして、映像表示装置４は、登録指示を受け付けるための受付画面を表示する。受付画面を確認した使用者は、登録処理を行う際には、リモコン５を操作することによって、登録処理の指示を入力する。使用者からの所定の操作を受け付けたリモコン５が送信した所定の信号をリモコン受信部３３が受信することによって、録画／再生制御部２４は、光ディスクの登録指示を受け付ける。
【００４２】
光ディスクの登録指示を受け付けたと判定した場合（Ｓ５：ＹＥＳ）、録画／再生制御部２４は、記憶部１２の管理領域に記憶されている情報に基づき、記憶部１２の第１〜第ｎ領域の内で光ディスクが対応付けられていない記憶領域があるか否かを判定する（Ｓ６）。光ディスクの登録指示を受け付けていないと判定した場合（Ｓ５：ＮＯ）、又は光ディスクが対応付けられていない記憶領域がないと判定した場合（Ｓ６：ＮＯ）、録画／再生制御部２４は、装着されている光ディスクを操作するためのメニュー画面を映像表示装置４に表示させる（Ｓ７）。メニュー画面は、装着されている光ディスクに録画されているストリームデータに関する情報を表示する。
【００４３】
ステップＳ７では、ドライブ制御部１３は、装着されている光ディスクに記録されているストリームデータに関する情報を光ディスクドライブ１１に読み出させ、インタフェース部１４からバックエンド部２０へ送出する。録画／再生制御部２４は、ハイブリッドドライブ部１０から取得した情報を含むメニュー画面を表示するために必要な映像信号を生成し、デコーダ２８及び画像処理部２９を介して信号出力部３４から映像表示装置４へ出力する。映像表示装置４は、録画装置１からの映像信号に基づいて、メニュー画面を表示する。
【００４４】
図６は、メニュー画面の構成例を示す模式図である。メニュー画面は、映像表示装置４が映像信号に基づいて映像を表示する映像表示領域４０及びメニュー表示領域４１を備える。メニュー表示領域４１は、光ディスクドライブ１１に装着されている光ディスクに対する操作を行う際に必要なメニューを表示し、このメニューは、光ディスクドライブ１１に装着されている光ディスクに録画されているストリームデータに関する情報を含む。ストリームデータに関する情報は、ストリームデータのタイトル、放送チャンネル、録画時間、録画処理の際の録画モード等を含む。
【００４５】
録画／再生制御部２４は、メニュー画面を表示した後、本処理を終了する。なお、図６に示すようなメニュー画面の表示後は、この光ディスクに対する各種の操作が可能となる。よって、使用者がリモコン５を操作し、リモコン５からの信号をリモコン受信部３３で受信することにより、録画／再生制御部２４は、使用者からの指示を取得し、取得した指示に従った処理を行う。例えば、メニュー表示領域４１は再生対象のストリームデータの指定を受け付ける画面でもあり、メニュー表示領域４１を介して再生対象の指定を受け付けた場合、録画／再生制御部２４は、指定されたストリームデータの再生処理を開始する。なお、図６に示したメニュー画面では、タイトル「ＢＢＢ」のストリームデータが再生対象として選択されている状態を示している。
【００４６】
なお、メニュー表示領域４１は、再生対象のストリームデータの指定を受け付けるほかに、コピー対象、削除対象、ストリームデータに関する情報の編集対象等の指定を受け付けるように構成されていてもよい。
【００４７】
ステップＳ６で光ディスクが対応付けられていない記憶領域があると判定した場合（Ｓ６：ＹＥＳ）、録画／再生制御部２４は、光ディスクドライブ１１に装着された光ディスクを、光ディスクが対応付けられていない記憶領域のいずれかに対応付けて登録する処理を行う（Ｓ８）。なお、光ディスクを記憶部１２の記憶領域のいずれかに対応付ける登録処理の詳細については後述する。
【００４８】
ステップＳ３で光ディスクが登録済みであった場合（Ｓ３：ＹＥＳ）、又は登録処理後、録画／再生制御部２４は、装着されている光ディスクが使用制限を設定されている光ディスクであるか否かを判定する（Ｓ９）。ステップＳ９では、録画／再生制御部２４は、装着されている光ディスクに対応付けて記憶部１２の管理領域に記憶されている使用制限情報に基づいて、使用制限が設定されているか否かを判定する。使用制限情報が使用制限の設定を示す情報であれば、録画／再生制御部２４は、装着されている光ディスクが使用制限されていると判定する。
【００４９】
使用制限が設定されていると判定した場合（Ｓ９：ＹＥＳ）、録画／再生制御部２４は、装着されている光ディスクに対応付けて記憶部１２の管理領域に記憶されているパスワード情報と、装着されている光ディスクに記録されているパスワード情報とが一致するか否かを判定する（Ｓ１０）。ステップＳ１０では、ドライブ制御部１３は、装着された光ディスクに記録されているパスワード情報を光ディスクドライブ１１に読み取らせ、インタフェース部１４からバックエンド部２０へ送出する。また、ドライブ制御部１３は、装着されている光ディスクに対応するパスワード情報を記憶部１２の管理領域から読み出し、インタフェース部１４からバックエンド部２０へ送出する。録画／再生制御部２４は、ハイブリッドドライブ部１０から送出された２つのパスワード情報を取得し、一致するか否かを判定する。
【００５０】
パスワード情報が一致したと判定した場合（Ｓ１０：ＹＥＳ）、録画／再生制御部２４は、このパスワード情報の入力を使用者に要求する（Ｓ１１）。ステップＳ１１では、録画／再生制御部２４は、パスワード情報の入力を要求するメニュー画面を表示するために必要な映像信号を生成し、デコーダ２８及び画像処理部２９を介して信号出力部３４から映像表示装置４へ出力する。映像表示装置４は、録画装置１からの映像信号に基づいて、図７（ａ）に示すようなメニュー画面を表示する。図７は、メニュー画面の構成例を示す模式図であり、図７（ａ）にはパスワード情報の入力を要求するメニュー画面の例を示し、図７（ｂ）には光ディスクに関するメニューを表示できない場合のメニュー画面の例を示している。図７（ａ），（ｂ）に示すメニュー画面は、図６に示すメニュー画面と同様の構成を有する。
【００５１】
図７（ａ）に示すメニュー画面は、映像表示領域４０及びメニュー表示領域４１のほかに、パスワード入力領域４２を有する。パスワード情報の入力を要求するメニュー画面では、メニュー表示領域４１に、光ディスクドライブ１１に装着されている光ディスクに録画されているストリームデータに関する情報はまだ表示されない。メニュー画面を確認した使用者がリモコン５を操作してパスワード情報を入力し、リモコン５からの信号をリモコン受信部３３で受信することにより、録画／再生制御部２４は、使用者によって入力されたパスワード情報を取得する。なお、図７（ａ）では、パスワード情報は、４桁（４文字）の情報としているが、これに限らない。
【００５２】
図７（ａ）に示したメニュー画面を介して入力されたパスワード情報を取得した場合、録画／再生制御部２４は、入力されたパスワード情報が正当であるか否かを判定する（Ｓ１２）。ステップＳ１２では、録画／再生制御部２４は、入力されたパスワード情報が、記憶部１２の管理領域に記憶されていたパスワード情報に一致するか否かを判定し、一致すれば正当であると判定し、一致しなければ正当でないと判定する。なお、入力されたパスワード情報が、装着されている光ディスクに記録されていたパスワード情報に一致するか否かを判定することによって、入力されたパスワードが正当であるか否かを判定してもよい。
【００５３】
入力されたパスワード情報が正当であると判定した場合（Ｓ１２：ＹＥＳ）、録画／再生制御部２４は、装着されている光ディスクに関する情報を表示するメニューを含むメニュー画面を映像表示装置４に表示させる（Ｓ１３）。ステップＳ１３では、ドライブ制御部１３は、装着されている光ディスクに記録されているストリームデータに関する情報を光ディスクドライブ１１に読み出させ、インタフェース部１４からバックエンド部２０へ送出する。録画／再生制御部２４は、ハイブリッドドライブ部１０から取得した情報を含むメニュー画面を表示するために必要な映像信号を生成し、デコーダ２８及び画像処理部２９を介して信号出力部３４から映像表示装置４へ出力する。これにより、映像表示装置４は、録画装置１からの映像信号に基づいて、図６に示したようなメニュー画面を表示する。
【００５４】
なお、光ディスクが、ストリームデータを読み出せないように処理されている場合、メニュー画面の表示後に、データを光ディスクから読み出せるように戻しておく。例えば、光ディスクに記録されているストリームデータが暗号化されている場合、暗号化する際に用いた暗号鍵を用いて復号することにより、光ディスクからストリームデータを読み出せるようにする。また、光ディスクに記録されているストリームデータの一部が抜き取られている場合、抜き取られたデータをストリームデータに戻すことにより、光ディスクからストリームデータを読み出せるようにする。なお、メニュー画面を生成するために必要な情報も光ディスクから読み出せないように処理されていた場合、まず、光ディスクから情報を読み出せるように処理した後に各種の情報を光ディスクから読み出し、読み出した情報に基づいてメニュー画面を生成して表示させればよい。
【００５５】
ステップＳ９で使用制限が設定されていないと判定した場合（Ｓ９：ＮＯ）、録画／再生制御部２４は、ステップＳ１０〜Ｓ１２の処理をスキップし、図６に示すように、装着されている光ディスクに関するメニューを含むメニュー画面を映像表示装置４に表示させる（Ｓ１３）。録画／再生制御部２４は、メニュー画面を表示した後、本処理を終了する。なお、図６に示したメニュー画面の表示後は、この光ディスクに対する各種の操作が可能となり、使用者がリモコン５を操作し、リモコン５からの信号をリモコン受信部３３で受信することにより、録画／再生制御部２４は、使用者からの指示に従った処理を行う。
【００５６】
ステップＳ４で光ディスクからのデータの読み出しが可能でないと判定した場合（Ｓ４：ＮＯ）、ステップＳ１０でパスワード情報が一致しないと判定した場合（Ｓ１０：ＮＯ）、又はステップＳ１２でパスワード情報が正当でないと判定した場合（Ｓ１２：ＮＯ）、録画／再生制御部２４は、図７（ｂ）に示すように、メニューを適切に表示できない旨を通知するメニュー表示不可メッセージを映像表示装置４に表示させる（Ｓ１４）。ステップＳ１４では、録画／再生制御部２４は、メニュー表示不可メッセージを含む画面を表示するために必要な映像信号を生成し、生成した映像信号をデコーダ２８及び画像処理部２９を介して信号出力部３４から映像表示装置４へ出力する。映像表示装置４は、録画装置１からの映像信号に基づいて、メニュー表示不可メッセージを含む画面を表示する。そして、録画／再生制御部２４は本処理を終了する。
【００５７】
以下に、上述した処理において、光ディスクを記憶部１２の記憶領域に対応付ける登録処理（図４中のステップＳ８）についてフローチャートに基づいて説明する。図８は録画装置１による登録処理の手順を示すフローチャートである。
【００５８】
本実施形態の録画装置１が登録処理を行う場合、まず、録画／再生制御部２４は、ドライブ制御部１３によって、図４中のステップＳ２で光ディスクから取得したディスクＩＤを、対応付ける記憶部１２の記憶領域を示す情報に対応付けて記憶部１２の管理領域に記憶させる（Ｓ２１）。例えば、記憶部１２の第１領域に光ディスク６１を対応付ける場合は、光ディスク６１から読み出したディスクＩＤを、第１領域を示す情報に対応付けて記憶部１２の管理領域に記憶させる。
【００５９】
録画／再生制御部２４は、登録された光ディスクに対して使用制限を設定するか否かの指示を受け付けるための受付画面を映像表示装置４に表示させる（Ｓ２２）。受付画面は、光ディスクに対して使用制限を設定するか否かの指示を受け付けると共に、使用制限を解除するためのパスワード情報を受け付ける。ステップＳ２２では、録画／再生制御部２４は、受付画面用の映像信号を生成し、デコーダ２８及び画像処理部２９を介して信号出力部３４から映像表示装置４へ送信する。これにより、映像表示装置４は、使用制限の設定指示を受け付けるための受付画面を表示する。
【００６０】
受付画面を確認した使用者は、リモコン５を操作することによって、登録した光ディスクに使用制限を設定するか否かの指示と、使用制限を設定する場合には任意のパスワード情報とを入力する。使用者からの所定の操作を受け付けたリモコン５が送信した所定の信号をリモコン受信部３３が受信することによって、録画／再生制御部２４は、登録した光ディスクに使用制限を設定するか否かの指示と、任意のパスワード情報とを受け付ける。
【００６１】
録画／再生制御部２４は、登録した光ディスクに使用制限を設定する指示を受け付けたか否かを判断する（Ｓ２３）。使用制限を設定する指示を受け付けたと判断した場合（Ｓ２３：ＹＥＳ）、録画／再生制御部２４は、ドライブ制御部１３によって、ステップＳ２１で記憶部１２の管理領域に記憶させた、記憶部１２の記憶領域を示す情報及びディスクＩＤに対応付けて、使用者から指示された使用制限の設定の有無及びパスワード情報を記憶させる（Ｓ２４）。例えば、記憶部１２の第１領域に対応付けた光ディスク６１に使用制限を設定する場合は、第１領域を示す情報に、光ディスク６１から読み出したディスクＩＤ、使用者から指示された使用制限の設定の有無及びパスワード情報を対応付けて記憶部１２の管理領域に記憶させる。
【００６２】
また、録画／再生制御部２４は、使用者によって入力されたパスワード情報を、ドライブ制御部１３によって、光ディスクドライブ１１に装着された光ディスクに記録する（Ｓ２５）。更に、録画／再生制御部２４は、この光ディスクに記録されているストリームデータを暗号化して光ディスクに上書きし（Ｓ２６）、この光ディスクからストリームデータを読み出せないようにしておく。なお、ストリームデータを暗号化する際に用いる暗号鍵は、光ディスクに固有の情報であることが望ましく、例えば、光ディスクを対応付けられた記憶部１２の記憶領域のそれぞれに予め格納しておいた情報を用いることができる。
【００６３】
また、光ディスクからストリームデータを読み出せないようにする処理は、ストリームデータの暗号化に限らず、例えば、光ディスクからのデータの読み出しを禁止する情報を所定の領域に記録する処理、ディスクに記録されているデータの一部を抜き取る処理等が考えられる。なお、データを暗号化する場合に用いる暗号鍵、データから抜き取った一部のデータを記憶部１２に記憶させておくことにより、録画装置１ではデータを適切に復元することができる。
【００６４】
ステップＳ２３で使用制限を設定する指示を受け付けていないと判断した場合（Ｓ２３：ＮＯ）、録画／再生制御部２４は、ステップＳ２４〜Ｓ２６の処理を行わずに本処理を終了する。なお、ここでは、録画／再生制御部２４は、ドライブ制御部１３によって、ステップＳ２１で記憶部１２の管理領域に記憶させた、記憶部１２の記憶領域を示す情報及びディスクＩＤに対応付けて、使用制限を設定しないことを示す使用制限情報を記憶させておく。
【００６５】
次に、上述したように、使用制限を設定することによってストリームデータを読み出せないように処理された光ディスクに対して、使用制限を解除する際に行う処理について説明する。図９は、録画装置１による使用制限の解除処理の手順を示すフローチャートである。
【００６６】
使用制限が設定されている光ディスクに対して使用制限を解除し、ストリームデータを読み出せるようにしたい場合、使用者は、光ディスクを光ディスクドライブ１１に装着し、リモコン５を操作することによって、使用制限の解除指示を入力する。使用者からの所定の操作を受け付けたリモコン５が送信した所定の信号をリモコン受信部３３が受信することによって、録画／再生制御部２４は、光ディスクに対する使用制限の解除指示を受け付ける。なお、録画／再生制御部２４は、使用制限の解除指示を受け付けるための受付画面用の映像信号をデコーダ２８及び画像処理部２９を介して信号出力部３４から映像表示装置４へ送信する。そして、映像表示装置４は、登録指示を受け付けるための受付画面を表示する。使用者は、受付画面を介して使用制限の解除処理の指示を入力する。
【００６７】
録画／再生制御部２４は、使用制限の解除指示を受け付けたか否かを判断しており（Ｓ３１）、受け付けていないと判断した場合（Ｓ３１：ＮＯ）、本処理を終了する。使用制限の解除指示を受け付けたと判断した場合（Ｓ３１：ＹＥＳ）、録画／再生制御部２４は、光ディスクドライブ１１に装着されている光ディスクに記録されている暗号化されたストリームデータを復号して光ディスクに上書きする（Ｓ３２）。
【００６８】
これにより、この光ディスクに記録されているストリームデータを光ディスクから読み出せるように戻すことができる。なお、ストリームデータを復号する際に用いる情報は、ストリームデータを暗号化する際に用いた暗号鍵であり、例えば、光ディスクに対応付けられた記憶部１２の記憶領域に格納されている。ステップＳ３２では、録画／再生制御部２４は、ドライブ制御部１３によって、光ディスクに対応する暗号鍵を記憶部１２の記憶領域から読み出すことによって、ストリームデータを復号する。
【００６９】
録画／再生制御部２４は、装着されている光ディスクに対応付けて記憶部１２の管理領域に記憶されているパスワード情報を、ドライブ制御部１３によって削除する（Ｓ３３）。また、録画／再生制御部２４は、ドライブ制御部１３によって、光ディスクに記録されているパスワード情報を消去する（Ｓ３４）。そして、録画／再生制御部２４は、本処理を終了する。
【００７０】
これにより、光ディスクに使用制限を設定することによって光ディスク及び記憶部１２に格納されていたパスワード情報を削除することができ、光ディスクに設定されていた使用制限を解除できる。従って、例えば、光ディスクを使用者間で共用することが可能となり、使用者の利便性を損なわない。
【００７１】
上述したように、本実施形態の録画装置１は、光ディスクドライブ１１に装着された光ディスクが使用制限を設定されている場合、使用者から正しいパスワードが入力されるまで、光ディスクを操作するためのメニュー画面の表示を禁止する。メニュー画面を表示させないことにより、この光ディスクに記録されているストリームデータの再生、コピー、削除、編集及びこの光ディスクへのストリームデータの録画等の各種の操作を禁止する。よって、１台の録画装置１を複数の使用者で共用している状況であっても、光ディスク毎に使用制限を設定しておくことにより、それぞれの光ディスクを各人の専用の光ディスクとして使用でき、他の使用者による無断での使用及び編集等を禁止できる。
【００７２】
また、本実施形態の録画装置１は、光ディスクドライブ１１に装着された光ディスクが録画装置１に対して未登録の光ディスクであっても、読み出しを禁止されていなければ、メニュー画面の表示が可能である。よって、読み出しを禁止されていない光ディスクであれば、従来の装置と同様に、光ディスクに記録されているストリームデータの再生、コピー、削除、編集及びこの光ディスクへのストリームデータの録画等の各種の操作が可能である。
【００７３】
本実施形態の録画装置１は、光ディスクドライブ１１に装着された光ディスクが録画装置１に対して未登録の光ディスクである場合、使用者からの登録処理の指示があれば、光ディスクの登録処理を行う。また、この際に、記憶部１２の第１〜第ｎ領域の内で光ディスクが対応付けられていない記憶領域がない場合は、登録処理を行わずにメニュー画面の表示を行う。このほかに、例えば、各記憶領域に対応付けて登録してある光ディスクの内で何れかの光ディスクの登録を解消することによって、光ディスクが対応付けられていない記憶領域を用意し、この記憶領域に光ディスクを対応付ける登録処理を行ってもよい。
【００７４】
本実施形態の録画装置１は、光ディスクドライブ１１に光ディスクが装着された場合に、この光ディスクを操作するためのメニュー画面の表示を行うか否かを判定する構成であった。このほかに、例えば、記憶部１２の各記憶領域に記憶されているストリームデータに対する操作を行うためのメニュー画面の表示を行うか否かを判定するように構成してもよい。例えば、使用者がリモコン５を操作することによって、記憶部１２の第１領域に記憶されているストリームデータに対する操作指示を行った場合に、第１領域に記憶されているストリームデータに関する情報を含むメニュー画面の表示を行うか否かを判定してもよい。
【００７５】
具体的には、第１領域に記憶されているストリームデータに対する操作指示があった場合、録画／再生制御部２４は、第１領域に対応付けられている光ディスクが光ディスクドライブ１１に装着されているかを判定し、装着されている場合には、装着されている光ディスク及び第１領域に格納されている同一のパスワード情報が使用者によって入力されたかを判定する。そして、正当なパスワード情報が入力された場合に、第１領域に記憶されているストリームデータに関するメニュー画面を表示させればよい。
【００７６】
本実施形態においては、光ディスクのそれぞれに固有の情報として光ディスクに予め記録されているディスクＩＤを使用する形態を示したが、これに限るものではなく、本発明では、光ディスク毎に異なる情報を光ディスクに書き込み、書き込んだ情報をディスクＩＤとして利用してもよい。また本実施形態においては、デジタルチューナ２１で放送信号を受信する形態を示したが、本発明はアナログ放送の放送信号を受信するアナログチューナを備えた形態であってもよい。アナログチューナを備えた形態では、アナログチューナはエンコーダ２２に接続される。
【００７７】
また本実施形態においては、本発明における着脱可能な記録媒体として光ディスクを用いる形態を示したが、これに限るものではなく、本発明は、着脱可能な記録媒体として、可搬型のハードディスク又はメモリカード等、その他の記録媒体を用いる形態であってもよい。また本実施形態においては、本発明の記録装置は録画装置１であるとしたが、これに限るものではなく、本発明の記録装置は、映像表示装置４と録画装置１とが一体となった形態であってもよい。また本実施形態においては、本発明の記録装置としてテレビジョン放送により放送された番組の番組データを記録する形態を示したが、これに限るものではなく、本発明の記録装置は、音声放送又はデータ放送等、テレビジョン放送以外の放送で放送される番組の番組データを記録する形態であってもよい。
【００７８】
本実施形態においては、光ディスクを録画装置１に対して登録する際に、使用制限の設定及びパスワード情報の設定を行っていた。このような構成に更に、使用者がリモコン５を操作することによって所定の画面を表示させ、表示させた画面を介して、使用制限の設定及び解除、パスワード情報の設定、変更、確認及び解除等を適宜行えるようにしてもよい。また、本実施形態では、光ディスクに対して使用制限を設定する場合に、使用者によって入力されたパスワード情報を光ディスク及び記憶部１２の管理領域に格納させると共に、光ディスクからストリームデータを読み出せないようにしていた。しかし、光ディスクからストリームデータを読み出せないようにする処理は必ずしも必要ではなく、パスワードの設定のみを行う構成でもよい。
【００７９】
本実施形態においては、操作が制限されている光ディスクが録画装置１に装着された場合に、光ディスク及び記憶部１２の管理領域に格納されているパスワード情報の入力を使用者に要求する。そして、正当なパスワード情報が入力された場合に、装着された光ディスクの使用が許可される構成であった。このほかに、例えば、光ディスク及び記憶部１２の管理領域に格納されているパスワード情報が一致すれば、装着された光ディスクの使用が許可される構成としてもよい。
【符号の説明】
【００８０】
１  録画装置（記録装置）
１０  ハイブリッドドライブ部
１１  光ディスクドライブ
１２  記憶部
１３  ドライブ制御部
２０  バックエンド部
２３  ストリーム処理部
２４  録画／再生制御部
【図１】
2010238325.tif 000003
【図２】
2010238325.tif 000004
【図３】
2010238325.tif 000005
【図４】
2010238325.tif 000006
【図５】
2010238325.tif 000007
【図６】
2010238325.tif 000008
【図７】
2010238325.tif 000009
【図８】
2010238325.tif 000010
【図９】
2010238325.tif 000011